(57)【要約】【課題】意匠性に優れた豪華な容器を提供する。【解決手段】外周面に多数のリン片３，３，３を有する有底椀型に形成された殻斗部２と、この殻斗部２に対し着脱可能な有底椀型に形成された堅果部４で構成され、殻斗部２と堅果部４を整合一体化させた状態では、外観がどんぐり形状を成すように設定されている。【選択図】                図１
2005013349.tif 000002
【特許請求の範囲】
【請求項１】
外周面に多数のリン片を有する有底椀型に形成された殻斗部と、該殻斗部に対し着脱可能な有底椀型に形成された堅果部で構成され、前記殻斗部と前記堅果部を整合一体化させた状態では、外観がどんぐり形状を成すように設定されていることを特徴とする容器。
【請求項２】
前記殻斗部内に食材を入れ、前記堅果部で殻斗部の上面を覆蓋できるように全体を陶磁器製としたことを特徴とする請求項１に記載の容器。
【発明の詳細な説明】
【０００１】
【発明の属する技術分野】
この発明は、どんぐり形状を成す容器に関するものである。
【０００２】
【従来の技術および発明が解決しようとする課題】
従来、釜飯用の容器は釜形状に形成されており、意匠性に乏しく、料理の豪華さを演出するには不十分なものであった。
【０００３】
【特許文献１】
特開平１１−２２１１６４号公報
【０００４】
【課題を解決するための手段】
本発明は、上記従来の問題点に鑑み案出したものであって、料理の豪華さを演出することができ、意匠性に優れた容器を提供せんことを目的とし、その第１の要旨は、外周面に多数のリン片を有する有底椀型に形成された殻斗部と、該殻斗部に対し着脱可能な有底椀型に形成された堅果部で構成され、前記殻斗部と前記堅果部を整合一体化させた状態では、外観がどんぐり形状を成すように設定されていることである。
また、第２の要旨は、前記殻斗部内に食材を入れ、前記堅果部で殻斗部の上面を覆蓋できるように全体を陶磁器製としたことである。
【０００５】
【発明の実施の形態】
以下、本発明の実施例を図面に基づいて説明する。
図１の容器１は、全体が陶磁器で形成されており、上面が開放された有底椀型の殻斗部２の外周には、多数のリン片３が設けられている。
また、この殻斗部２の上面には、蓋を構成する堅果部４が被せられており、この堅果部４は球形を成して、下向きに開口する有底椀型に形成されており、上端頂部には、上方へ一体状に突出して、手で摘むことのできる摘み突起４ａが形成されている。
【０００６】
図２には、図１の縦断面構成図を示す。
前記殻斗部２は、水平な底部２ａの外周に、湾曲状に上方へ向かって一体状に立ち上げて湾曲側面部２ｂが形成されており、湾曲側面部２ｂの上端には、更に一体状に上方へ突出して上端突片部２ｄが形成され、この上端突片部２ｄより下方の内周側には、内側へ水平に突出して裁置段部２ｃが形成されており、この裁置段部２ｃ上に、堅果部４の下端を整合させて被せることができるように構成され、堅果部４を殻斗部２の裁置段部２ｃに被せた状態では、堅果部４の下端外周に殻斗部２の上端突片部２ｄが立ち上がるように設定されている。
殻斗部２の底部２ａは、略平らな水平状に形成されており、殻斗部２の湾曲側面部２ｂの外周全域には、多数のリン片３，３，３，３が形成されている。
【０００７】
このように殻斗部２上に堅果部４を被せた状態では、図１に示すように、その外観形状がクヌギのどんぐり形状を成し、極めて意匠性に優れた豪華な陶磁器製容器となる。
この容器１の殻斗部２内に、例えば釜飯等の食材５を入れ、堅果部４を被せて蓋をした状態で、殻斗部２の下方より火炎で加熱し、殻斗部２内で良好に釜飯を炊き上げることができ、レストラン等において、お客のテーブル上で、このようなクヌギのどんぐり形状の容器１により、釜飯を炊き上げることで、料理の豪華さを良好に演出できるものとなる。
【０００８】
なお、炊き上げた釜飯を食する時には、図３に示すように、摘み突起４ａを摘んで、堅果部４を殻斗部２から取り外すが、例えばテーブル上に竹筒６を立てておき、この竹筒６上に堅果部４を逆さまにして置くと、更に豪華さを演出できるものとなり、堅果部４の摘み突起４ａが竹筒６内に収納されて、転がりを良好に防止できるものとなる。
【０００９】
なお、本例では釜飯用の容器として使用する場合を例示しているが、殻斗部２内に入れる食材５としては、おかゆ，おじや，どんぶり物，石焼ビビンバ，寄せ鍋，煮物等であっても良く、また殻斗部２内には、煮込みうどん、煮込みそば、煮込みラーメン等を入れて、客に供することができ、料理の豪華さを良好に演出できるものとなる。
また更には、殻斗部２内には、ヒヤムギやスープ類を入れて客に供することもできるものである。
【００１０】
なお、このような容器１は、外観が意匠性に優れて豪華なものであり、民芸品的な価値もあり、置物としても使用できるものである。
更には、味噌，梅干，砂糖，塩等の調味料等を入れる容器としても用いることができ、更には、漬物，佃煮，お茶の葉，お菓子，キャンディー等を入れる容器としても使用することができるものである。
【００１１】
また、内部に入れるものは食材に限らず、例えば図４に示すように、殻斗部２内に土を入れて、殻斗部２を植木鉢として用い、植木７を豪華に演出させることができるものとなる。
なお、殻斗部２は花瓶や火鉢として用いることもでき、更には、殻斗部２内にローソクを立てたり、またアロマテラピー効果のある燃焼物等を入れて楽しむこともできるものである。
【００１２】
次に、図５は、堅果部４が卵型を成すミズナラ，コナラ等のどんぐり形状に形成した容器を示しており、図５では、外周に多数のリン片３が設けられた殻斗部２は、下向きに開放された球形に形成されており、上端頂部には上方へ突出して中空の突起部２ｅが一体形成されている。
【００１３】
また、図６の分解縦断面構成図で示すように、堅果部４は有底椀状の卵型を成し、上面が開放されて、上端外周には、外側へ突出して係止爪部４ｂが一体形成されている。
一方、殻斗部２の下端側内周には、係止爪部４ｂが係合できる係止段部２ｆが一体形成されている。
殻斗部２に対し、堅果部４を下方より差込み、係止爪部４ｂを係止段部２ｆに係合させて、殻斗部２と堅果部４を一体化させることができるものである。
【００１４】
なお、この容器１は、例えば全体を樹脂で形成させておき、特に堅果部４は透明または半透明の樹脂で形成させておけば、上端の係止爪部４ｂは、良好な弾力性が付与されて、良好に係止段部２ｆに着脱させることができるものとなる。
なお、殻斗部２のみを陶磁器製で形成しておくこともできる。
【００１５】
図７に示すように、突起部２ｅ内にコード９を通し、内部に白熱電球等の光源８を配設して、照明器具として用いることができ、天井から吊り下げて用いることで、極めて優れた意匠性を呈するものとなる。
また、このような照明器具は、街路や橋の欄干や庭の灯篭としても用いることができ、また、枕元に置いてムードランプとしても用いることができるものである。
なお、このような容器は、ランプとして使用する他に、アクセサリー入れや貯金箱や置物等の種々の用途に用いることができるものとなる。
【００１６】
【発明の効果】
本発明の容器は、外周面に多数のリン片を有する有底椀型に形成された殻斗部と、殻斗部に対し着脱可能な有底椀型に形成された堅果部で構成され、殻斗部と堅果部を整合一体化させた状態では、外観がどんぐり形状を成すように設定されていることにより、豪華な民芸品的な価値があり、意匠性に優れて置物としても用いることができ、内部には種々のものを入れて豪華な容器として使用できるものとなる。
【００１７】
また、殻斗部内に食材を入れ、堅果部で殻斗部の上面を覆蓋できるように全体を陶磁器製としたことにより、内部に食材を入れて釜飯の容器等として使用することができ、釜飯容器として客に提供された時に、その優れた意匠性により料理の豪華さをより良好に演出させることができるものとなる。
【図面の簡単な説明】
【図１】第１実施例の容器の斜視構成図である。
【図２】図１の容器の縦断面構成図である。
【図３】図１の容器を釜飯容器として用いた場合の使用状態の分解斜視構成図である。
【図４】容器を植木鉢として用いた場合の斜視構成図である。
【図５】第２実施例の容器の斜視構成図である。
【図６】第２実施例の容器の分解縦断面構成図である。
【図７】第２実施例の容器を一体化させ照明器として用いる状態の縦断面構成図である。
【符号の説明】
１    容器
２    殻斗部
２ａ    底部
２ｂ    湾曲側面部
２ｃ    裁置段部
２ｄ    上端突片部
２ｅ    突起部
２ｆ    係止段部
３    リン片
４    堅果部
４ａ    摘み突起
４ｂ    係止爪部
５    食材
６    竹筒
７    植木
８    光源
９    コード
【図１】
2005013349.tif 000003
【図２】
2005013349.tif 000004
【図３】
2005013349.tif 000005
【図４】
2005013349.tif 000006
【図５】
2005013349.tif 000007
【図６】
2005013349.tif 000008
【図７】
2005013349.tif 000009